(57)【要約】【課題】  簡素な構成で錠前装置をドアに取付可能であり、宅外から取り外しにくい。【解決手段】  内周面に雌ネジが形成されているシリンダ孔１２３を有するシリンダ錠部１１と、シリンダ孔の雌ネジに螺合する中空ネジ１４と、中空ネジが貫通するブラケット孔１３０を有し、シリンダ錠部および中空ネジのネジ頭の間に挟まれて保持されるブラケット１３と、ドア１００内部に配置され、ブラケットが嵌合する表ほぞ穴６１を有する錠取付部６と、シリンダ孔、中空ネジ、ブラケット孔、および表ほぞ穴の中に設けられた取付孔６２を貫通するカプラ４０と、を備える錠前装置１のドアへの取付構造であって、ブラケット孔に中空ネジが嵌入されて中空ネジのネジ頭はブラケット孔の縁に係止され、ブラケットが表ほぞ穴に嵌合され、中空ネジは、取付孔を介してシリンダ孔から締結可能である。【選択図】図１
2019035282.tif 000002
【特許請求の範囲】
【請求項１】
内周面に雌ネジが形成されているシリンダ孔を有するシリンダ錠部と、
前記シリンダ孔の雌ネジに螺合する中空ネジと、
前記中空ネジが貫通するブラケット孔を有し、前記シリンダ錠部および前記中空ネジのネジ頭の間に挟まれて保持されるブラケットと、
ドア内部に配置され、前記ブラケットが嵌合する表ほぞ穴を有する錠取付部と、
前記シリンダ孔、前記中空ネジ、前記ブラケット孔、および前記表ほぞ穴の中に設けられた取付孔を貫通するカプラと、
を備える錠前装置のドアへの取付構造であって、
前記ブラケット孔に前記中空ネジが嵌入されて前記中空ネジのネジ頭は前記ブラケット孔の縁に係止され、
前記ブラケットが前記表ほぞ穴に嵌合され、
前記中空ネジは、前記取付孔を介して前記シリンダ孔から締結可能である、
錠前装置のドアへの取付構造。
【請求項２】
前記錠取付部の側面から挿通され、前記錠取付部に前記ブラケットを押圧するブラケット止めピンをさらに備え、前記ブラケット止めピンが前記錠取付部の側面から挿通されて前記ブラケットが前記錠取付部に固定される、請求項１記載の錠前装置のドアへの取付構造。
【請求項３】
前記ブラケットは、前記ブラケット止めピンが貫通するピン受孔をさらに備える、請求項２記載の錠前装置のドアへの取付構造。
【請求項４】
前記中空ネジの頭部は前記取付孔側を向いている、請求項１乃至３のいずれかに記載の錠前装置のドアへの取付構造。
【請求項５】
前記カプラは、前記錠取付部に対して回動可能に保持されていて、前記カプラの回動に応じて前記錠前装置が施錠および解錠される、請求項１乃至４のいずれかに記載の錠前装置のドアへの取付構造。
【請求項６】
前記ドアの表面にシリンダ錠部が配置され、前記ドアの裏面にサムターン部が配置され、前記シリンダ錠部および前記サムターン部は前記カプラの両端にそれぞれ連結されていて、前記シリンダ錠部および前記サムターン部を前記ドアに固定する、請求項１乃至５のいずれかに記載の錠前装置のドアへの取付構造。
【請求項７】
サムターン部と、
内周面に雌ネジが形成されているシリンダ孔を有するシリンダ錠部と、
前記シリンダ孔の雌ネジに螺合する中空ネジと、
前記中空ネジが貫通するブラケット孔を有し、前記シリンダ錠部および前記中空ネジのネジ頭の間に挟まれて保持されるブラケットと、
ドア内部に配置され、前記ブラケットが嵌合する表ほぞ穴を有する錠取付部と、
前記シリンダ孔、前記中空ネジ、前記ブラケット孔、および前記表ほぞ穴の中に設けられた取付孔を貫通するカプラと、
を備え、
前記ブラケット孔に前記中空ネジが嵌入されて前記中空ネジのネジ頭は前記ブラケット孔の縁に係止され、
前記ブラケットが前記表ほぞ穴に嵌合され、
前記中空ネジは、前記取付孔を介して前記シリンダ孔から締結可能であり、
前記シリンダ錠部および前記サムターン部は前記カプラの両端にそれぞれ連結されている、錠前装置。
【請求項８】
前記中空ネジの頭部は前記取付孔側を向いている、請求項７記載の錠前装置。
【請求項９】
前記カプラは、前記錠取付部に対して回動可能に保持されていて、前記カプラの回動に応じて施錠および解錠される、請求項７又は８記載の錠前装置。
【発明の詳細な説明】
【技術分野】
【０００１】
本発明は、錠前装置のドアへの取付構造、および錠前装置に関する。
【背景技術】
【０００２】
住宅の玄関ドア等に取り付けられる錠前装置が知られている。
【０００３】
錠前装置は、ドア側面から突出可能に設けられたデッドボルトを機械的に出没させることで、ドアの解錠および施錠を制御することができる装置である。錠前装置は、ドアの外側すなわち宅外からも、およびドアの内側すなわち宅内からも解錠および施錠することができる。
【０００４】
錠前装置はドアの解錠および施錠を司っているので、不正解錠を防ぐためには宅外からの取り外しが困難な取付構造が必要である。
【０００５】
例えば特許文献１には、ドアの錠箱のサムターン取付孔に嵌め込む取付金具と、取付金具に電動式サムターン錠本体を保持する取付プレートを備え、取付金具および取付プレートがネジ止めされている、電動式サムターンのドアへの取付構造が開示されている。
【０００６】
特許文献２には、ネジ止めや、粘着性の高い両面テープでサムターンの本体ケースがドアに取り付けられてなるサムターン装置が開示されている。
【０００７】
しかしながら、ネジ頭が宅外側に向いて配置されていると、ドアの外表面を破壊することでドアからサムターン装置を容易に取り外すことができ、防犯上望ましくない。また、粘着性の高いテープで取り付けた場合も、ドアから装置を容易に取り外すことができてしまう。また、いずれの構造においても、ドアの解錠および施錠を制御する構造とは別にドアへの取付構造を備える必要があり、構造が複雑である。
【０００８】
そこで、簡素な構成で、錠前装置をドアに取付可能であり、宅外側からの取り外しが困難な錠前装置のドアへの取付構造が必要とされている。
【先行技術文献】
【特許文献】
【０００９】
【特許文献１】特開２０１１−１６９０２５号公報
【特許文献２】特開２００９−６８３１１号公報
【発明の概要】
【発明が解決しようとする課題】
【００１０】
本発明は、簡素な構成で錠前装置をドアに取付可能であり、宅外側からの取り外しが困難な錠前装置のドアへの取付構造および錠前装置を提供することを目的とする。
【課題を解決するための手段】
【００１１】
本発明にかかる錠前装置の取付構造は、内周面に雌ネジが形成されているシリンダ孔を有するシリンダ錠部と、シリンダ孔の雌ネジに螺合する中空ネジと、中空ネジが貫通するブラケット孔を有し、シリンダ錠部および中空ネジのネジ頭の間に挟まれて保持されるブラケットと、ドア内部に配置され、ブラケットが嵌合する表ほぞ穴を有する錠取付部と、シリンダ孔、中空ネジ、ブラケット孔、および表ほぞ穴の中に設けられた取付孔を貫通するカプラと、を備える錠前装置のドアへの取付構造であって、ブラケット孔に中空ネジが嵌入されて中空ネジのネジ頭はブラケット孔の縁に係止され、ブラケットが表ほぞ穴に嵌合され、中空ネジは、取付孔を介してシリンダ孔から締結可能であることを最も主要な特徴とする。
【発明の効果】
【００１２】
本発明によれば、簡素な構成で錠前装置をドアに取付可能であり、宅外側からの取り外しが困難である。
【図面の簡単な説明】
【００１３】
【図１】本発明にかかる錠前装置の取付構造の実施の形態を示す分解斜視図である。
【図２】上記錠前装置が設置されるドアの錠取付部と、上記錠前装置が備えるブラケットおよび中空ネジを宅外側から見た分解斜視図である。
【図３】上記錠前装置が備えるブラケットおよび中空ネジの縦断面図である。
【図４】上記錠前装置が備える連結軸板の斜視図である。
【図５】上記連結軸板の部分拡大斜視図である。
【図６】上記錠前装置が備えるカプラの斜視図である。
【図７】上記錠前装置が備える施錠機構に前記連結軸板が係合される様子を示す図である。なお、上記ブラケットおよび上記中空ネジは省略されている。
【図８】上記施錠機構および上記連結軸板に、上記カプラが係合される様子を示す図である。なお、上記錠前装置が備える固定部材は省略されている。
【発明を実施するための形態】
【００１４】
●錠前装置●
以下、本発明にかかる錠前装置の実施の形態について、図面を参照しながら説明する。
【００１５】
図１に示すように、錠前装置１は、錠取付部６と、アーマープレート７と、シリンダ錠部１１と、ブラケット１３と、中空ネジ１４と、固定部材１５と、パネル１６と、サムターン部２０と、連結軸板３０と、カプラ４０と、を備える。シリンダ錠部１１は、ドア１００の表面側、ここでは宅外側に配置されている。サムターン部２０は、ドア１００の裏面側、ここでは宅内側に配置されている。
【００１６】
●ドア１００
ドア１００は２枚の化粧板が向かい合って構成されており、宅外側の化粧板にはシリンダ錠部１１が固定されるシリンダ取付孔、宅内側の化粧板にはサムターン部２０が固定されるサムターン取付孔がある。シリンダ取付孔およびサムターン取付孔は、後述する錠取付部６の表ほぞ穴６１および裏ほぞ穴６３（図２参照）に対応する位置にそれぞれ設けられていて、取付孔６２を介して互いに連通している。
【００１７】
●錠取付部６
錠取付部６は、ドア１００の内部、すなわちドア１００の両面を構成する化粧板の間に配置されている略直方体状の中空の筐体である。錠取付部６の厚さは、ドア１００の厚さと同程度である。錠取付部６は、ドア１００の表面と対向する面に表ほぞ穴６１を有する。表ほぞ穴６１は、円の向かい合う２箇所が突出した形状をしている。表ほぞ穴６１の形状は、後述するブラケット１３の段部１３１の形状に対応している。表ほぞ穴６１の略中央には、錠取付部６をドア１００の厚さ方向に貫通する取付孔６２が設けられている。取付孔６２は、直径の異なる同心の２円を四半円毎に互い違いに結び合わせたような形状である。
【００１８】
錠取付部６は、ドア１００の裏面と対向する面であって、取付孔６２の外縁に、裏ほぞ穴６３を有する。裏ほぞ穴６３は表ほぞ穴６１と略同形状で、固定部材１５の宅外側の形状に対応している。
【００１９】
錠取付部６は、側面に、表ほぞ穴６１に連通するピン孔７１、７２および裏ほぞ穴６３に連通するピン孔７３、７４を有する。ピン孔７１〜７４は、各中心点を結ぶ図形が、ドア１００の各辺にそれぞれ平行な略四角形である。ピン孔７１、７２は、シリンダ錠部１１側に設けられていて、ブラケット止めピン８１、８２が挿通される。ピン孔７３、７４は、サムターン部２０側に設けられていて、固定部材止めピン８３、８４が挿通される。
【００２０】
表ほぞ穴６１の内壁には、ピン孔７１、７２に挿通されるブラケット止めピン８１、８２が至る位置に受穴９１、９２が形成されている。裏ほぞ穴６３の内壁には、ピン孔７３、７４に挿通される固定部材止めピン８３、８４が至る位置に受穴９３、９４が形成されている。ピン孔７１〜７４を貫通したブラケット止めピン８１、８２および固定部材止めピン８３、８４は、それぞれ表ほぞ穴６１および裏ほぞ穴６３を通って受穴９１〜９４に挿通される。
【００２１】
錠取付部６は、側面に、ドア１００側面から突出してドア１００を施錠するためのデッドボルト７５、およびドア１００のレバーの動きに連動して出没し、ドア１００を仮締めするためのラッチボルト７６を備える。
【００２２】
アーマープレート７は、錠取付部６の側面に固定される平板である。本実施形態では、アーマープレート７および錠取付部６は縦に並んだ３個のネジでネジ留めされている。アーマープレート７は、ドア１００の外表面に露出していて、ドア１００の側面の一部を構成している。アーマープレート７は、デッドボルト７５およびラッチボルト７６の位置に対応した適宜の貫通孔を有する。
【００２３】
●シリンダ錠部１１
シリンダ錠部１１は、宅外から鍵を挿入してドアの施錠および開錠を切り替える機構部である。
【００２４】
シリンダ錠部１１は、宅外から鍵が挿入される鍵穴を備える部材で、直方体と円板を組み合わせた外形を有する。シリンダ錠部１１は、ドア１００表面に対向する面に、シリンダ錠部１１の内部に連通する開口１２１を備える。開口１２１は例えば、ドア１００への取付状態において下方部分が略円形で、略円の上部から長方形が上向きに伸び出たような形状である。
【００２５】
開口１２１の円部分の略中央には、ブラケット固定部１２２が配置されている。ブラケット固定部１２２は、角を面取りされた略四角柱状である。ブラケット固定部１２２の先端は、開口１２１の縁より僅かに突出している。ブラケット固定部１２２は、シリンダ錠部１１の厚さ方向に深さを有するシリンダ孔１２３を有する。シリンダ孔１２３の内周面の少なくとも一部には、中空ネジ１４と螺合する雌ネジが形成されている。
【００２６】
シリンダ錠部１１のシリンダ孔１２３の奥には、宅外から挿入される鍵と連動して動作する施錠機構が内蔵されている。施錠機構は、十字型の凹部を有し、凹部は後述するカプラ４０の十字突起４１と係合する。
【００２７】
●ブラケット１３
図１乃至図３に示すように、ブラケット１３は、シリンダ錠部１１と中空ネジ１４との間に保持される略円筒状の部材である。ブラケット１３の軸線上には、貫通するブラケット孔１３０を備える。ブラケット１３の一端側の内周形状は、シリンダ錠部１１が有するブラケット固定部１２２の外周形状に対応している。ブラケット１３は、ブラケット固定部１２２の外周を覆うように係合し、ブラケット１３の一端側が開口１２１に嵌り込む。
【００２８】
図３に示すように、ブラケット１３の他端側には、一端側よりも外径の大きい段部１３１が全周に渡って形成されている。段部１３１の半径方向略中央には、ブラケット孔１３０が貫通している。段部１３１側のブラケット孔１３０の内径は、一端側のブラケット孔１３０の内径よりも小さい。ブラケット１３の内周とブラケット固定部１２２の外周とが嵌り合うと、ブラケット固定部１２２の先端が段部１３１の一端側の面に当接する。
【００２９】
段部１３１は、向かい合う２箇所に、ブラケット１３の半径方向および長さ方向に突出する凸部１３２を備える。段部１３１および凸部１３２の形状は、錠取付部６の表ほぞ穴６１の形状に対応している。それぞれの凸部１３２の側面には、ブラケット止めピン８１、８２が貫通するピン受孔１３３を備える。ブラケット止めピン８１、８２は、ピン受孔１３３を貫通し、表ほぞ穴６１の内壁に形成された受穴９１、９２（図８参照）に挿通される。
【００３０】
●中空ネジ１４
中空ネジ１４は、軸線上に貫通孔１４０を有するネジである。貫通孔１４０のネジ頭側は六角孔１４２になっていて、六角レンチにより中空ネジ１４を回転させることができる。貫通孔１４０は、六角孔１４２を除いて略円である。中空ネジ１４は、ドア１００の厚さにより適宜の長さの物が配置される。
【００３１】
ブラケット孔１３０の他端側から、中空ネジ１４が挿通されている。中空ネジ１４がブラケット孔１３０の他端に挿通されると、中空ネジ１４のネジ頭は、段部１３１の他端側の面に当接する。このように、中空ネジ１４は、ネジ頭が宅内側を向いて配置される。中空ネジ１４は、取付孔６２を介してのみシリンダ孔１２３から締結および取り外し可能である。したがって、宅外側からは中空ネジ１４を取り外すのが困難であり、防犯上有効である。
【００３２】
●固定部材１５
固定部材１５は、錠取付部６とパネル１６との間に保持される略円筒状の部材である。固定部材１５の軸線上には、貫通する固定部材孔１５０を備える。固定部材１５の一端側は、錠取付部６の裏ほぞ穴６３に嵌合する。固定部材１５の他端側には、固定部材孔１５０の周囲に、パネル１６とネジ留めして固定されるためのネジ孔１５１が等間隔に複数形成されている。本実施形態においては、ネジ孔１５１は４個であるが、３個以下であっても５個以上であってもよい。
【００３３】
固定部材１５には、向かい合う２箇所に、固定部材１５の半径方向および長さ方向の一端側に突出する凸部１５２が、形成されている。凸部１５２の側面には、貫通するピン受孔１５３が形成されている。ピン受孔１５３には、錠取付部６のピン孔７３、７４から挿入される固定部材止めピン８３、８４がそれぞれ挿通される。固定部材止めピン８３、８４は、ピン受孔１５３を貫通し、裏ほぞ穴６３の内壁に形成された受穴９３、９４（図８参照）に挿通される。
【００３４】
●パネル１６
パネル１６は、錠取付部６および固定部材１５を宅内側から覆うように取り付けられる平板である。パネル１６は、取付孔６２および固定部材孔１５０と連通するパネル孔１６０を有する。パネル孔１６０の周囲には等間隔に複数の貫通孔１６１が形成されている。貫通孔１６１の位置は固定部材１５のネジ孔１５１と対応しており、固定部材１５およびパネル１６はネジ孔１５１および貫通孔１６１に挿通されるネジによりネジ留めされる。
【００３５】
●サムターン部２０
サムターン部２０は、ドア１００の宅内側からドア１００を施錠および開錠する機構である。サムターン部２０は、サムターンツマミ２１および駆動部２２を備える。サムターンツマミ２１は、手動又は電動で回動可能な突起である。サムターンツマミ２１は、例えば細長い長方形がサムターン部２０から突出した形状である。サムターンツマミ２１は、突起の中央を中心に四半円の範囲を回動可能で、回動範囲の両端が、それぞれ錠前装置１の施錠された状態および開錠された状態に対応している。
【００３６】
駆動部２２は、サムターンツマミ２１および鍵の回動をカプラ４０を介してデッドボルト７５に伝達する機構である。駆動部２２は、例えばサムターンツマミ２１およびデッドボルト７５と連結するデッドカムを有する。また、電動式で施錠および開錠が可能な錠前装置１の場合、駆動部２２は、電源や、電源と接続されるモータなどの動力機構を備えていても良い。また、無線により施錠および開錠が可能な錠前装置１の場合、無線受信機を備えていても良い。サムターン部２０は、適宜の構造でパネルに固定されている。
【００３７】
●連結軸板３０
図４および図５に示すように、連結軸板３０は、シリンダ錠部１１およびサムターン部２０を連結する細長い平板である。連結軸板３０の一端側には間隔を置いて並設された複数の溝３１、３２が設けられている。溝３１、３２はＶ字溝である。溝３１は、連結軸板３０の１平面および隣接する１側面に、幅および厚さ方向に渡って複数形成されている。溝３２は、上記溝３１が形成されている面とは反対側の面に、幅および厚さ方向に渡って複数形成されている。溝３１および溝３２は、それぞれ互い違いに形成されている。複数の溝３１および複数の溝３２は、等間隔に形成されている。
【００３８】
連結軸板３０はドア１００の両面を連結する部材であるから、連結軸板３０の長さは、設置されるドア１００の厚さに対応する必要がある。すなわち、ドア１００の厚さに応じて簡便に長さを調整できることが望ましい。溝３１および溝３２を有する連結軸板３０によれば、実際に配置する際に、溝３１または溝３２に沿って連結軸板３０を切断することで、所望の長さの連結軸板３０を容易に得ることができる。なお、ドア１００の厚さに応じて予め異なる長さの連結軸板３０を用意してもよい。
【００３９】
連結軸板３０は、シリンダ錠部１１のシリンダ孔１２３、ブラケット孔１３０、中空ネジ１４の貫通孔１４０、錠取付部６の取付孔６２、固定部材１５の固定部材孔１５０、パネル１６のパネル孔１６０、および後述するカプラ４０の十字開口４２に挿通可能な形状である。連結軸板３０の一端は、シリンダ錠部１１内部の施錠機構と連結され、シリンダ錠部１１に挿入される鍵の回動に対応してカプラ４０と共に回動する。連結軸板３０の他端は、サムターン部２０のサムターンツマミ２１に連結される。
【００４０】
連結軸板３０は、本実施の形態においては細長い平板であったが、シリンダ錠部１１およびサムターン部２０を連結するものであれば、連結軸板３０の形状は任意である。例えば、断面が長方形、長円、十字型などであってもよい。
【００４１】
●カプラ４０
図６に示すように、カプラ４０は、角を丸くした略四角筒状の部材である。カプラ４０は、鍵またはサムターンツマミ２１の回動を駆動部２２に伝達する部材である。カプラ４０の一端側には、取付孔６２を介してシリンダ錠部１１内部の施錠機構と係合する十字突起４１が形成されている。十字突起４１の半径方向内側には、カプラ４０を長さ方向に貫通する十字型の十字開口４２が設けられている。カプラ４０の他端は、駆動部２２に連結される。
【００４２】
カプラ４０の他端は、長さ方向に突出するコイルばね４３を備える。コイルばね４３は、サムターン部２０の宅外側の面に付勢されている。この構成によれば、異なる厚さのドアにおいてもカプラ４０およびサムターン部２０が確実に付勢されるため、設置されるドアの厚さに応じてカプラ４０の長さを変更する必要がない。
【００４３】
なお、ドア１００の厚さに応じて異なる長さのカプラ４０が設置されていてもよい。
【００４４】
カプラ４０は、鍵またはサムターンツマミ２１の回動に応じて連結部材３０と共に四半円の範囲を回動する。カプラ４０の回動が駆動部２２に伝達され、デッドボルト７５が出没する。
【００４５】
なお、カプラ４０は、本実施の形態においては角を丸くした略四角筒状であったが、鍵またはサムターンツマミ２１の回動を駆動部２２に伝達するものであれば、カプラ４０の形状は任意である。
【００４６】
●錠前装置１の取付手順
まず、図３に示すように、ブラケット１３のブラケット孔１３０に、中空ネジ１４を挿入し、中空ネジ１４のネジ頭をブラケット孔１３０の縁に係止させる。次に、図２に示すように、中空ネジ１４が挿入されたブラケット１３の段部１３１側を錠取付部６のほぞ穴６２に挿入する。そして、ブラケット止めピン８１、８２を錠取付部６のピン孔７１、７２を介してブラケット１３のピン受孔１３３に挿通させる。ブラケット止めピン８１、８２は、受穴９１、９２に至る。ブラケット止めピン８１、８２により、ブラケット１３が錠取付部６内に固定される。
【００４７】
次に、シリンダ錠部１１をドア１００の宅外側に接触させて、ブラケット固定部１２２をブラケット１３の一端側に係合する。ブラケット固定部１２２の先端は、ブラケット１３の内部で段部１３１に当接する。
【００４８】
次に、六角レンチを宅内側から取付孔６２の六角孔１４２に挿入し、取付孔６２を介して中空ネジ１４を回転させ、中空ネジ１４をシリンダ錠部１１のシリンダ孔１２３に螺合させる。中空ネジ１４がシリンダ孔１２３に螺合されるに従って、シリンダ錠部１１はドア１００の表面に引き寄せられて、シリンダ錠部１１およびドア１００が隙間なく強固に固着される。この構成によれば、シリンダ錠部１１とドア１００の表面との間の隙間に工具を差し入れる等してシリンダ錠部１１をドア１００から引き剥がす行為を防止することができ、防犯上有効である。
【００４９】
次に、図１に示すように、固定部材１５を宅内側から鍵取付部６の裏ほぞ穴６３に嵌合させる。固定部材止めピン８３、８４をそれぞれ錠取付部６のピン孔７３、７４を介してピン受孔１５３に挿通させる。固定部材止めピン８３、８４は、受穴９３、９４に至る。固定部材止めピン８３、８４により、固定部材１５が錠取付部６内に固定される。そして、固定部材１５のネジ孔１５１およびパネル１６の貫通孔１６１を、ネジにより固定する。
【００５０】
次に、図７に示すように、連結軸板３０を宅内側からパネル孔１６０および固定部材孔１５０を介して取付孔６２に挿入し、シリンダ錠部１１内の施錠機構に当接させる。連結軸板３０は、施錠機構の十字型の凹部のうち、縦又は横の長辺に沿うように挿入する。
【００５１】
次に、図８に示すように、カプラ４０を宅内側から取付孔６２に挿入する。カプラ４０の十字突起４１は取付孔６２を介してシリンダ錠部１１内の施錠機構に係合される。連結軸板３０は十字開口４２からカプラ４０の内部に挿入される。最後に、カプラ４０のコイルバネ４３およびサムターン部２０を係合し、カプラ４０が駆動部２２に連結される。最後に、アーマープレート７を錠取付部６の側面にネジ留めする。
【００５２】
なお、上述においては中空ネジ１４とシリンダ錠部１１とを螺合してから固定部材１５を錠取付部６に取り付けると説明したが、固定部材１５を取り付けてから中空ネジ１４とシリンダ錠部１１とを螺合してもよい。また、固定部材１５およびパネル１６を取り付けてから中空ネジ１４とシリンダ錠部１１とを螺合してもよい。
【００５３】
また、ブラケット止めピン８１、８２および固定部材止めピン８３、８４をピン孔７１〜７４に挿通した後であれば、アーマープレート７を取り付ける順序は任意である。
【００５４】
本発明によれば、中空ネジ１４のネジ頭がサムターン側、すなわち宅内側を向いているため、宅外から錠前装置を取り外すのは困難である。また、ドア１００の解錠および施錠を制御する構造およびドア１００への取付構造が一体となっているため、構成が簡素である。
【００５５】
なお、本実施の形態においては、シリンダおよびサムターンを有する錠前装置について説明したが、本発明の技術的思想は、その他の錠前装置にも適用可能である。また、手動で施錠および開錠を行う錠前装置、および電動式の錠前装置のいずれにも適用可能である。
【符号の説明】
【００５６】
１        錠前装置
６        錠取付部
１１      シリンダ錠部
１３      ブラケット
１４      中空ネジ
４０      カプラ
６１      表ほぞ穴
６２      取付孔
１２３    シリンダ孔
１３０    ブラケット孔
【図１】
2019035282.tif 000003
【図２】
2019035282.tif 000004
【図３】
2019035282.tif 000005
【図４】
2019035282.tif 000006
【図５】
2019035282.tif 000007
【図６】
2019035282.tif 000008
【図７】
2019035282.tif 000009
【図８】
2019035282.tif 000010